(57)【要約】      （修正有）【課題】計量された容量を容易に認識でき、定量で内容物を入れやすい計量カップを提供する。【解決手段】計量カップは、一側が開口され、収容空間が形成される本体部１１０と、本体部の内部底面に設けられ、文字で容量が表示される第１表示部１２０と、容量が測定されるように第１表示部から本体部の内部側面に延長される第２表示部１３０と、を含む。【選択図】図１
0003228041.tif 000002
【実用新案登録請求の範囲】
【請求項１】
一側が開口され、収容空間が形成される本体部と、
前記本体部の内部底面に設けられ、文字で容量が表示される第１表示部と、
容量が測定されるように前記第１表示部から前記本体部の内部側面に延長される第２表示部と、を含むことを特徴とする計量カップ。
【請求項２】
前記第２表示部は、
少なくとも一部が直線またはバー（ｂａｒ）状からなることを特徴とする請求項１に記載の計量カップ。
【請求項３】
前記第２表示部は複数個で設けられ、
複数個の前記第２表示部は、
前記直線またはバーの高さ、厚さ、幅、個数の何れか１つまたはこれらの組み合わせでサイズまたは形状の何れか１つが同一であるように、または相違するように形成されることを特徴とする請求項２に記載の計量カップ。
【請求項４】
前記第１表示部は、
容量が１つ以上で表示されることを特徴とする請求項１に記載の計量カップ。
【請求項５】
前記第１表示部は、
昇順に容量が複数個で表示され、
前記文字または前記文字が表示される領域は、同じサイズで形成されるか、または昇順にサイズが大きく形成されることを特徴とする請求項１に記載の計量カップ。
【請求項６】
前記文字は、
見る方向が前記第２表示部を基準として形成されることを特徴とする請求項１に記載の計量カップ。
【請求項７】
前記文字は、
前記第２表示部が上部に配置される方向を基準として正字で表示されることを特徴とする請求項６に記載の計量カップ。
【請求項８】
前記文字は、
数字、文字、サイズが異なる複数個の形状、互いに異なる複数個の形状、記号の何れか１つまたはこれらの組み合わせからなることを特徴とする請求項１に記載の計量カップ。
【請求項９】
容量が測定されるように、前記第２表示部の端部から水平線に沿って延長される第３表示部をさらに含むことを特徴とする請求項１に記載の計量カップ。
【請求項１０】
前記本体部は、内容物を収容する容器に結合される蓋からなることを特徴とする請求項１に記載の計量カップ。
【請求項１１】
前記本体部は、
前記容器と結合されるねじ山が形成される結合部材が外側に設けられることを特徴とする請求項１０に記載の計量カップ。
【請求項１２】
前記第２表示部は、
容量が表示される文字を含むことを特徴とする請求項１に記載の計量カップ。
【請求項１３】
前記第２表示部は、
厚さと幅の少なくとも何れか１つが０．８ｍｍ〜２．５ｍｍからなることを特徴とする請求項１に記載の計量カップ。
【考案の詳細な説明】
【技術分野】
【０００１】
本考案は計量カップに関するもので、計量しようとする容量が容易に認識できる計量カップに関する。
【背景技術】
【０００２】
日常生活において、容器に入っている内容物を定められた容量分だけとって使用しなければならない場合がかなり多い。例えば、洗剤や繊維柔軟剤を洗濯物の量に合わせてとって使用したり、料理をするとき、食用油や各種調味料を計量したり、液状の薬を容量分だけ飲用したり、マウスウォッシュを蓋にとって口をすすぐ場合など、容器に入っている液状または粉状の内容物を定量分使用しなければならない場合が多い。
【０００３】
即ち、液体洗剤などのように家庭で主に使用される製品は、上端部に容器の入口が備えられた貯蔵容器に貯蔵され、必要に応じて適量の内容物を排出して使用する。このために計量カップを使用することもあるが、このような場合、計量カップを別に保管しなければならず、使用する度に計量カップに付いた内容物を除去しなければならないため、内容物の損失が多く、使用が不便である。当該問題点を解消するために、容器の入口に定量排出機能を有する蓋型の計量カップが備えられた容器が開発されている。
【０００４】
しかしながら、計量カップは、計量カップの周面に目盛りがあり、段階別の容量に応じて上下一列に表示されており、表示領域に制限があるため、表示のサイズが小さくなるしかない。特に、製造コストを削減するために、小さいサイズの表示が計量カップを射出するときに同時に形成される場合が多いが、このとき、射出技術の限界により周面に表示部分を鮮明に形成することができず、表示部分と周辺部分との色が区別できないため、使用者が表示部分を識別することが難しい。
【０００５】
また、色を異ならせるために、計量カップを射出する際に表示容量を形成せずに印刷方式などのように別途で形成して計量カップと表示部分を分離すると、工程段階が増えて製造コストが上昇するだけでなく、依然として表示のサイズが制限的であるため、識別が難しい。
【０００６】
更に、表示部分は、計量カップの内側の周面に設けられるため、小さいサイズの表示部分（数字など）を確認するためには使用者の視野（目で見ることができる範囲）に表示部分が確保されるように計量カップを傾けなければならないなど、計量しようとする表示部分まで内容物をとるとき、計量カップが傾いた状態となり正確な測定が難しいため、改善が求められる。
【考案の概要】
【考案が解決しようとする課題】
【０００７】
本考案は従来技術を改善するために創出されたものであり、本考案の目的は計量された容量を使用者が容易に認識でき、定量で内容物を入れやすい計量カップを提供することである。
【課題を解決するための手段】
【０００８】
本考案の一実施例による計量カップは、一側が開口され、収容空間が形成される本体部と、上記本体部の内部底面に設けられ、文字で容量が表示される第１表示部と、容量が測定されるように上記第１表示部から上記本体部の内部側面に延長される第２表示部と、を含むことを特徴とする。
【０００９】
また、上記第２表示部は、少なくとも一部が直線またはバー（ｂａｒ）状からなってもよい。
【００１０】
また、上記第２表示部は複数個で設けられ、複数個の上記第２表示部は、上記直線またはバーの高さ、厚さ、幅、個数の何れか１つまたはこれらの組み合わせでサイズまたは形状の何れか１つが同じであるか、全てが相違するように形成されてもよい。
【００１１】
また、上記第１表示部は、容量が１つ以上で表示されてもよい。
【００１２】
また、上記第１表示部は昇順に容量が複数個で表示され、上記文字または上記文字が表示される領域は同じサイズで形成されるか、または昇順にサイズが大きく形成されてもよい。
【００１３】
また、上記文字は、見る方向が上記第２表示部を基準として形成されてもよい。
【００１４】
また、上記文字は、上記第２表示部が上部に配置される方向を基準として正字で表示されてもよい。
【００１５】
また、上記文字は、数字、文字、サイズが異なる複数個の形状、互いに異なる複数個の形状、記号の何れか１つまたはこれらの組み合わせからなってもよい。
【００１６】
また、容量が測定されるように、上記第２表示部の端部から水平線に沿って延長される第３表示部をさらに含んでもよい。
【００１７】
また、上記本体部は、内容物を収容する容器に結合される蓋からなってもよい。
【００１８】
また、上記本体部は、上記容器と結合されるねじ山が形成される結合部材が外側に設けられてもよい。
【００１９】
また、上記第２表示部は、容量が表示される文字を含んでもよい。
【００２０】
また、上記第２表示部は、厚さと幅の少なくとも何れか１つが０．８ｍｍ〜２．５ｍｍからなってもよい。
【考案の効果】
【００２１】
本考案による計量カップは、本体部の底面に表示される文字からなる第１表示部や、形態などが異なる第２、３表示部を通じて使用者が計量容量を一目で容易に把握できるため、使用者の利便性が向上することができ、底面に計量カップが置かれても表示部分が使用者の視野で確保でき、従来のように側面に表示される数字を把握するために計量カップを傾けてみる必要がないため、底面に置かれた状態の計量カップを通じて計量容量に合わせて内容物をとることができ、正確な計量が可能である。
【図面の簡単な説明】
【００２２】
【図１】本考案の一実施例による計量カップを示す斜視図である。
【図２】本考案の一実施例による計量カップの側面を示す図である。
【図３】本考案の一実施例による計量カップの他の形態からなる第１表示部を示す斜視図である。
【図４】本考案の一実施例による計量カップのさらに他の形態からなる第１表示部を示す斜視図である。
【考案を実施するための形態】
【００２３】
本考案の目的、特定の利点及び新規な特徴は、添付の図面と関わる以下の詳細な説明及び好ましい実施例から更に明らかになるだろう。本明細書では、各図面の構成要素に参照番号を付するにおいて、同じ構成要素に限ってはたとえ他の図面上に表示されても可能な限り同じ番号を付していることに留意すべきである。また、本考案を説明するに当たり、関連する公知技術に対する具体的な説明が本考案の要旨を不要に不明確にすると判断される場合にはその詳細な説明を省略する。
【００２４】
以下、添付の図面を参照して本考案の好ましい実施例を詳細に説明する。
【００２５】
図１は本考案の一実施例による計量カップを示す斜視図であり、図２は本考案の一実施例による計量カップの側面を示すものであり、図３は本考案の一実施例による計量カップの他の形態からなる第１表示部を示す斜視図であり、図４は本考案の一実施例による計量カップのさらに他の形態からなる第１表示部を示す斜視図である。
【００２６】
図１〜図４を参照すると、本考案の一実施例による計量カップ１００は、本体部１１０、第１表示部１２０、第２表示部１３０、第３表示部１４０を含んでもよく、第１表示部１２０、第２表示部１３０、第３表示部１４０により使用者が容量表示を容易に認識できるため、便利であり、後述する実施例では、第１表示部１２０に計測容量が複数個で表示されるものを説明するが、これに限定されず、第１表示部１２０が１つ以上設けられてもよいため、１つの容量表示だけがされるように設けられることができ、このとき、１つの容量表示が複数個で設けられるが、計量容量は同一で、互いに方向だけが異なるように形成されて、使用者が計量カップ１００の様々な方向で容量表示が認識できるように設けられるなど、多様な変形例が可能である。
【００２７】
本体部１１０は、一側が開口され、計量のための内容物が収容される収容空間が形成されてもよく、内容物を収容する容器（不図示）に結合される蓋からなってもよく、容器への結合のために結合部材１１１が設けられてもよい。
【００２８】
ここで、容器は、液体洗剤、繊維柔軟剤などのように内容物の計量が必要な容器であってもよく、ブロー（ｂｌｏｗ）方式により製造された容器であってもよいが、これに限定されるものではなく、内容物は計量が必要であれば、その状態に制限はなく、液状、粉状などであってもよい。
【００２９】
また、本体部１１０の結合部材１１１は、本体部１１０の外側の周面に沿って形成されてもよく、容器と結合されるねじ山が内周面に形成されることができる。そして、結合部材１１１は、本体部１１０の内部に内容物が入れられた後、再び容器に結合するとき、内容物が付いた本体部１１０の内側面が容器の容器入口（注ぎ口）に結合されて流れ落ちることが防止されるようにして、衛生的に使用できるように設けられるものであるため、計量の目的だけで計量カップ１００が使用される場合には結合部材１１１は省略されてもよい。
【００３０】
当該本体部１１０は金型で射出されて製造されてもよく、本体部１１０が射出成形されるとき、第１表示部１２０、第２表示部１３０、第３表示部１４０が一緒に形成されるように金型に第１表示部１２０、第２表示部１３０、第３表示部１４０に対応する陰刻／陽刻が形成されてもよい。
【００３１】
これにより、本体部１１０に第１表示部１２０、第２表示部１３０、第３表示部１４０が形成されるように印刷方式を適用する必要がないため、印刷後の加工による単価上昇を防止することができる。
【００３２】
また、第１表示部１２０、第２表示部１３０、第３表示部１４０は、内容物の計測／計量時に使用者が計量容量を容易に識別できるように設けられる構成である。
【００３３】
特に、従来の計量カップは横方向の目盛り線が上下一列に設けられ、数字が表記されてもこれを区分することが難しく、特に、近視、高齢者の場合、計量容量を把握することがさらに難しい。しかし、本実施例では、数字などの表記が容易に識別できるだけでなく、内容物を計量するとき、底面に置かれた状態で計量することができるため、正確な計量が可能である。
【００３４】
具体的に、第１表示部１２０は、使用者が計量カップ１００を傾けて見る必要がなく、底面を通じて計量された容量表示（計測容量の表示）が認識できるように、本体部１１０の内部の底面に設けられ、文字で容量が表示されることができる。
【００３５】
但し、本実施例において言及される文字は、使用者が容量を認識するための手段であり、容量は１つ以上で表示されることができ、１つ以上の形状などが設けられてもよいため、サイズが異なる複数個の形状、互いに異なる形態、１つ以上の記号などからなることができ、容量を認識／表示することができるのであれば、数字または文字に限定されない。即ち、文字は、数字、文字、サイズが異なる複数個の形状、異なる模様の複数の形状、１つ以上の記号のうち何れか１つまたはこれらの組み合わせからなってもよい。
【００３６】
例えば、内容物が繊維洗濯のための洗剤である場合、少量洗濯（３ｋｇ）に該当する洗剤の容量を表示するために第１表示部１２０は第１サイズからなる第１形状（洗剤入れの形状、円形、多角形などであってもよい）を含んでもよく、このとき、第１形状に該当する計量容量の表示は２０ｍｌ〜４５ｍｌの範囲に該当することができ、表示は３５ｍｌの文字であってもよい。
【００３７】
また、第１表示部１２０は、少量洗濯に比べて容量の大きい中量洗濯（７ｋｇ）に該当する洗剤の容量を表示するために第２形状を含んでもよく、このとき、第２形状は第１サイズに比べてサイズの大きい第２サイズからなるか、または第１形状とは異なる形状からなってもよく、このとき、第２形状に該当する計量容量の表示は４５ｍｌ〜６５ｍｌの範囲に該当することができ、５５ｍｌの文字であってもよい。
【００３８】
さらに、第１表示部１２０は、中量洗濯に比べて容量の大きい大量洗濯（１０ｋｇから１５ｋｇ）に該当する洗剤の容量を表示するために第３形状を含んでもよく、このとき、第３形状は第２サイズに比べてサイズの大きい第３サイズからなるか、または第２形状とは異なる形状からなってもよく、このとき、第３形状に該当する計量容量の表示は６５ｍｌ〜８０ｍｌの範囲に該当することができ、７０ｍｌの文字であってもよい。
【００３９】
無論、第１表示部１２０は、少量、中量、大量の洗濯の計量表示に限定されず、多様な容量表示ができるように１ｍｌ単位、５ｍｌ単位、１０ｍｌ単位などで形成されるか、またはこれらの組み合わせからなることで、使用者の意図に応じて容量を計測することもできる。
【００４０】
また、第１形状、第２形状、第３形状が同じサイズからなる場合、使用者が文字の形態だけでも計量容量が認識できるように互いに異なる形態／形状からなってもよい。
【００４１】
例えば、第１形状は１つの指を上げた状態の手の形、第２形状は２本の指を上げた状態の手の形、第３形状は３本の指を上げた手の形であるか、上記に言及された数字と組み合わさって一緒に併記されてもよい。
【００４２】
または、第１形状は三角形、第２形状は円形、第３形状は四角形からなってもよいなど、数字を読むために計量カップの方向を変える必要がないか、数字または文字に比べて使用者が容易に認識できる記号からなってもよい。
【００４３】
当該第１表示部１２０は、図３を参照すると、記号（図形であってもよい）と数字が一緒に併記され、使用者が容易に認識できる様々な変形例からなってもよい。
【００４４】
また、第１表示部１２０が数字、文字からなる場合、１つ以上の容量を表示するように構成され、１つの文字（例えば、１０ｍｌ）が形成されたり、１つ以上の文字が形成されたり（例えば、１０ｍｌ、２０ｍｌなど）、様々な形態に文字が変更（言語及び／または記号が異なる同じ容量表示であってもよい）されてもよく、サイズが異なる複数の文字が形成されるが、文字が形成される領域のサイズは同一に形成されてもよい。
【００４５】
または、文字は昇順に計量容量が複数個表示されてもよく、第１表示部１２０は文字または文字が表示される領域が昇順にサイズが大きく形成されてもよい。
【００４６】
また、文字が数字、文字からなる場合、見る方向が第２表示部１３０を基準として形成されることができるが、例えば、図１及び図３を参照すると、第２表示部１３０が上部に配置される方向を基準として正字（使用者が見る方向に記載された文字を意味することができる）で表示されて、使用者が容易に認識できるように形成されてもよい。
【００４７】
但し、本実施例はこれに限定されるものではなく、図４を参照すると、第２表示部１３０が下部に配置される方向を基準として正字で表示されてもよい。
【００４８】
第２表示部１３０は、容量が測定されるように第１表示部１２０から本体部１１０の内部側面に連続または不連続に延長されてもよく、複数個の第２表示部１３０が周面に沿って互いに離隔した形態で本体部１１０に設けられてもよい。
【００４９】
ここで、第２表示部１３０は、第１表示部１２０に対応する計測容量を表示する構成であるため、第１表示部１２０から延長されて使用者が計測容量を認識することができる、即ち、第１表示部１２０に該当する第２表示部１３０の端部を検知することができるのであれば、様々な形態が適用できる。
【００５０】
従って、１つの第２表示部１３０は、少なくとも一部が直線またはバー（ｂａｒ）状からなり、第１表示部１２０と連結される１つの線／バーからなってもよく（連続的に形成される例）、これとは異なって、点線、破線などの形状からなってもよい（不連続に形成される例）。そして、第２表示部１３０が線／バーからなる場合、例えば、本体部１１０の仮想の展開図において複数個の第２表示部１３０がバーグラフ状のように形成されてもよい。
【００５１】
当該第２表示部１３０は、第１表示部１２０の容量に対応して容量が大きくなる順に直線／バーの高さ、厚さ、幅、個数の何れか１つまたはこれらの組み合わせで、サイズまたは形状／形態が異なるように複数個設けられてもよい。
【００５２】
例えば、第２表示部１３０の形状は直線状に限定されず、ジグザグまたは「Ｓ」字型などからなってもよく、直線に比べて厚さ及び／または幅が大きく形成されるバー（棒を含んでもよい）状などからなってもよく、複数個の第２表示部１３０のそれぞれは、第１表示部１２０の計測容量に対応してサイズ（線／バーの幅、厚さを含んでもよい）が徐々に大きくなる形状からなってもよい。
【００５３】
または、第２表示部１３０は、厚さなどの形態で複数個の第２表示部１３０が区別されることの他に、第１表示部１２０の計測容量に対応して直線／バーの個数が異なるように形成されてもよく、例えば、上述したように、上げる指の個数によって区分されてもよく、手のひらの領域（または指を折った手の形の部分）が本体部１１０の底面に設けられる第１表示部１２０をなし、そこから延長される上げた指が第２表示部１３０をなすことができるなど、様々な変形例が可能である。
【００５４】
当該第２表示部１３０の厚さと幅は、目で認識しやすく、且つ射出成形した後、冷却過程で後収縮の発生による変形を最小化するために０．８ｍｍ以上２．５ｍｍ以下の範囲であることができる。ここで、厚さは、本体部１１０の内面から突出した長さであり、深さからなってもよく、幅は本体部１１０の内面に形成される仮想の接線と平行な部分を意味することができる。
【００５５】
また、第２表示部１３０は、第１表示部１２０に対応する容量に対応する高さからなり、複数個の第２表示部１３０は高さが互いに異なるように形成されてもよい。
【００５６】
さらに、第２表示部１３０は、第３表示部１４０と同一／類似するように第２表示部１３０に隣接して容量が表示される文字が設けられてもよい。例えば、第２表示部１３０の容量表示の文字は、第２表示部１３０の上端、または第２表示部１３０の内側または側面の何れか１つに形成されてもよい。
【００５７】
そして、第３表示部１４０に容量表示が設けられるのであれば、重複しないように第２表示部１３０と第３表示部１４０の何れか１つの容量表示は省略されてもよいなど、様々な変形例が可能である。
【００５８】
第３表示部１４０は、第２表示部１３０と連携して容量が測定されるように、即ち、第２表示部１３０と第３表示部１４０の何れか１つ以上を通じて使用者が容量を認識することができるように、第２表示部１３０の端部から水平線に沿って延長されてもよい。
【００５９】
例えば、第３表示部１４０は、第１表示部１２０に対応して複数個のリング状からなってもよく、複数個のリングは同じ厚さを有する線からなるか、第１表示部１２０に対応して容量が大きくなる順にリングの厚さが異なるように形成されてもよく、射出成形時に、アンダーカットによる制限がないか、切削加工などを通じて凹んだ溝の構造からなってもよいなど、様々な変形例が可能である。
【００６０】
また、第３表示部１４０は、第２表示部１３０の測定表示部分が認識できる範囲を拡張させるものであるため、リング状に制限されず、開放された形態を有することができ、水平方向に配置される「ｃ」字状であってもよいなど、様々な変形例が可能である。
【００６１】
また、第３表示部１４０は、上述したような第１表示部１２０の文字が一緒に表示されてもよく、例えば、第３表示部１４０の線を横切る位置、または線の上部／下部に文字が併記されてもよい。
【００６２】
このように、本実施例は、本体部１１０の底面に表示される文字からなる第１表示部１２０や、形態などが異なる第２表示部１３０、第３表示部１４０を通じて使用者が計量容量を一目で容易に把握でき、使用者の利便性が向上することができ、側面に表示される数字を把握するために計量カップ１００を傾けて見る必要がなく、底面に置かれた計量カップ１００を通じて計量容量に合わせて内容をとることができるため、正確な計量が可能である。
【００６３】
以上、本考案の具体的な実施例を通じて詳細に説明したが、これは本考案を具体的に説明するためのものであり、本考案はこれに限定されず、本考案の技術的思想内で当該分野の通常の知識を有する者によってその変形や改良が可能であることは明らかである。
【００６４】
本考案の単純な変形ないし変更は全て本考案の範囲に属し、本発明の具体的な保護範囲は添付の実用新案請求の範囲によって明確になるだろう。
【符号の説明】
【００６５】
１００    計量カップ
１１０    本体部
１１１    結合部材
１２０    第１表示部
１３０    第２表示部
１４０    第３表示部
【図１】
0003228041.tif 000003
【図２】
0003228041.tif 000004
【図３】
0003228041.tif 000005
【図４】
0003228041.tif 000006